(57)【特許請求の範囲】
【請求項１】
防水ラインを形成する防水板の側端部を支えるための防水装置の柱体であって、
前記柱体には、前記防水板の側端部が差し込まれる差込溝が設けられ、
前記差込溝には、前記防水ラインを挟んで両側に、防水板と密着させるための止水材を設置可能な止水材取付部が設けられ、
前記差込溝には、前記防水ラインを挟んで両側に、前記防水板の片面に当接して前記防水板を押圧するための押付材を設置可能な押付材取付部が設けられる、
防水装置の柱体。
【請求項２】
前記止水材は前記止水材取付部に対し嵌合にて取り付けられる、
ことを特徴とする請求項１に記載の防水装置の柱体。
【請求項３】
前記止水材取付部は、前記柱体の長手方向に沿って設けられるとともに、前記柱体の長手方向の少なくとも一側端部の位置において開放されており、
前記開放された部位から長尺の前記止水材を差し込んで移動させることで、前記止水材が止水材取付部に取り付けられる、
ことを特徴とする請求項１又は請求項２に記載の防水装置の柱体。
【請求項４】
前記柱体の上端に、上部キャップが取り付けられ、
前記上部キャップ内に設けた空間部に前記止水材の上端部が納められる、
ことを特徴とする請求項１乃至請求項３のいずれか一項に記載の防水装置の柱体。
【発明の詳細な説明】
【技術分野】
【０００１】
本発明は、建物の出入口や、地下施設への地上出入口などに設置され、豪雨時の雨水などの浸入を堰き止めるための防水装置に関し、より詳しくは、防水板を立設保持させるための柱体に関する。
【背景技術】
【０００２】
従来、豪雨発生時などにおいて雨水などが出入口内に浸入することを防止するための防水板（止水板とも称される）を備える防水装置が知られており、例えば、特許文献１，２に開示される技術が知られている。
【０００３】
特許文献１には、防水板（防水パネル）の両側部を、通路などの開口部に設けた柱体（支持枠）にて支持する構成が開示されている。防水板は一方の側部を柱体の差込溝内に斜め横方向から挿入し、次いで他方の側部をもう一方の柱体の差込溝内に斜め横方向から挿入することで、両柱体の間の開口部が防水板によって閉じられる構成としている。また、防水板と柱体の差込溝内の隙間は、防水板側に配置された止水材（パッキング材）により埋められ、隙間を通じた水の浸入が防がれる構成としている。
【０００４】
同様に、特許文献２には、防水板（扉本体）の両側部を、通路などの開口部に設けた柱体（ガイド柱、戸当支持枠）にて支持する構成が開示されている。防水板は引戸式に構成され、スライドさせることで、両柱体の間の開口部が防水板によって閉じられる構成としている。また、防水板と柱体の差込溝内の隙間は、柱体側に配置された止水材（パッキン）により埋められ、隙間を通じた水の浸入が防がれる構成としている。
【先行技術文献】
【特許文献】
【０００５】
【特許文献１】特開２０１２−０２１３５９号公報
【特許文献２】特開平７−２９３１２３号公報
【発明の概要】
【発明が解決しようとする課題】
【０００６】
上述した止水材に関し、特許文献１の例のように防水板側に止水材を配置することとすると、防水板を差込溝に差し込む際に止水材が柱材や他の部位に衝突するなどして、止水材が損傷することが懸念される。例えば、止水材が接着剤や両面テープなどで接着されている場合には、止水材の剥がれや脱落の発生が懸念される。
【０００７】
特に、間口が広く、２メートル等の幅の広い防水板を設置する場合には、防水板の両側部をそれぞれ柱体に同時に挿入するのは難しく、また、防水板と差込溝の間のクリアランスが狭いため、まずは防水板の片側を一方の柱体に突き当てた状態とした上で、防水板の他側を他方の柱体に差し込むことが行われる。この際に、防水板に配置された止水材に強い力が加わることで、剥がれや脱落がより生じやすくなると考えられる。
【０００８】
他方、特許文献２の例のように柱体（ガイド柱、戸当支持枠）に配置する構成の場合には、防水板を受ける側、即ち、防水板で構成される防水ラインの内側（室内側など）に止水材を配置する必要がある。
【０００９】
ここで、特許文献２の構成では壁の外側面に対し柱体が固定されるため（外側受け納まり）、止水材は壁と防水板の間に配置される構成となり、防水ラインの内側に止水材が配置される構成となっている。しかしながら、施工現場においては、壁の内側面に対し柱体が固定される場合があり（内側受け納まり）、この場合には、壁、防水板、止水材の順番で配置される必要があるが、特許文献２の構成では、この順番での配置を想定しておらず、防水板を挟んで逆側（内側）に止水材を配置できる構成となっていない。
【００１０】
以上のように、特許文献２の構成では、壁の内側面に対し柱体が固定される場合（内側受け納まり）に対応できないこととなっており、このような従来構成は、外側受け納まりと内側受け納まりの両方の施工現場に対応できないという課題を見出した。
【００１１】
そこで、本発明は、以上の問題点に鑑み、防水板を備える防水装置の構成において、防水板側に止水材を設けずに、かつ、外側受け納まりと内側受け納まりの両方の施工現場に対応可能な新規な技術を提案するものである。
【課題を解決するための手段】
【００１２】
本発明の解決しようとする課題は以上のごとくであり、次にこの課題を解決するための手段を説明する。
【００１３】
即ち、請求項１に記載のごとく、
防水ラインを形成する防水板の側端部を支えるための防水装置の柱体であって、
前記柱体には、前記防水板の側端部が差し込まれる差込溝が設けられ、
前記差込溝には、前記防水ラインを挟んで両側に、防水板と密着させるための止水材を設置可能な止水材取付部が設けられ、
前記差込溝には、前記防水ラインを挟んで両側に、前記防水板の片面に当接して前記防水板を押圧するための押付材を設置可能な押付材取付部が設けられる、
防水装置の柱体とする。
【００１４】
また、請求項２に記載のごとく、
前記止水材は前記止水材取付部に対し嵌合にて取り付けられる、こととする。
【００１５】
また、請求項３に記載のごとく、
前記止水材取付部は、前記柱体の長手方向に沿って設けられるとともに、前記柱体の長手方向の少なくとも一側端部の位置において開放されており、
前記開放された部位から長尺の前記止水材を差し込んで移動させることで、前記止水材が止水材取付部に取り付けられる、こととする。
【００１７】
また、請求項４に記載のごとく、
前記柱体の上端に、上部キャップが取り付けられ、
前記上部キャップ内に設けた空間部に前記止水材の上端部が納められる、こととする。
【発明の効果】
【００１８】
本発明の効果として、以下に示すような効果を奏する。
【００１９】
即ち、請求項１に記載の発明においては、
防水板側に止水材を設けずに、かつ、外側受け納まりと内側受け納まりの両方の施工現場に対応可能な構成が実現できる。
また、押付材を配設する構成において、外側受け納まりと内側受け納まりの両方の施工現場に対応可能な構成が実現できる。
【００２０】
また、請求項２に記載の発明においては、
止水材の止水材取付部からの脱落防止が図られる。
【００２１】
また、請求項３に記載の発明においては、
長尺の止水材の容易な取り付けや、交換が可能となり、メンテナンス性に優れた構成が実現できる。
【００２３】
また、請求項４に記載の発明においては、
上部キャップにより止水材の上端部が保護されることになり、防水板を差込溝に挿入する際に、止水材の上端部に防水板が突き当たって止水材が離脱することを防ぐことができる。また、止水材の上端部を掴むことで、止水材を止水材取付部から容易に抜き出すことが可能となり、止水材の交換を容易に行うことができる
【図面の簡単な説明】
【００２４】
【図１】設置完了状態における防水装置の外観正面図。
【図２】（Ａ）は「外側受け納まり」の防水装置の平面図。（Ｂ）は「内側受け納まり」の防水装置の平面図。
【図３】（Ａ）は「外側受け納まり」のガイドレールの構成について示す水平断面。（Ｂ）は「内側受け納まり」のガイドレールの構成について示す水平断面。
【図４】（Ａ）はガイドレールの特徴的な構成について示す水平断面部分拡大図。（Ｂ）は止水材と止水材取付部の構成について説明する図。
【図５】（Ａ）は止水材等の別形態１について説明する図。（Ｂ）は止水材等の別形態２について説明する図。（Ｃ）は止水材等の別形態３について説明する図。（Ｄ）は止水材等の別形態４について説明する図。（Ｅ）は止水材等の別形態５について説明する図。（Ｆ）は止水材等の別形態６について説明する図。（Ｇ）は止水材等の別形態７について説明する図。
【図６】（Ａ）は中柱について本発明を適用する例について示す水平断面図。（Ｂ）は中柱について本発明を適用する他の例について示す水平断面図。
【図７】（Ａ）はガイドレールの上端部の構成について示す斜視図。（Ｂ）はガイドレールの上端部の構成について示す斜視図。（Ｃ）はガイドレールの上端部の構成について示す側面断面図。
【図８】（Ａ）は止水材の上端部の構成について示す平面図と側面図。（Ｂ）は止水材と上部キャップの取り付け手順の例について説明する図。
【図９】（Ａ）は中柱の上端部の構成について示す平面図。（Ｂ）は（Ａ）のＡ−Ａ線断面図。
【発明を実施するための形態】
【００２５】
以下、本発明の実施形態を図面に基づいて説明する。
図１は設置完了状態における防水装置２の外観正面図、図２（Ａ）は設置完了状態における防水装置２の平面図である。
【００２６】
なお、以下の説明では、便宜のため、図１における矢印Ｘ方向を横方向、或いは、防水板１Ａ，１Ｂ，１Ｃの「横幅方向」とし、図２（Ａ）における矢印Ｄ方向であって防水ラインＬと直交する方向を「内外方向」とする。また、防水板によって防水が必要な出入口２０（開口部）を内側と外側に区切る防水ラインＬが形成され、防水ラインＬを基準として道路側などの水嵩が増していく側を「外側」とし、屋内側などの水の浸入を防ぐべき側を「内側」として位置関係を説明するものとする。また、図１は、図２（Ａ）において外側から臨む正面図とする。また、「防水ライン」とは、厳密には、防水板１Ａ，１Ｂ，１Ｃにおいて水と接触する面が形成するライン（平面視における防水板の輪郭線）のことをいうが、各図においては、便宜上、防水板の中心線（厚み方向の中心）を防水ラインＬとして示している。
【００２７】
図１及び図２（Ａ）に示すように、本実施例の防水装置２は、出入口２０に対向して立設される一対のガイドレール５０Ｒ，５０Ｌと、ガイドレール５０Ｒ，５０Ｌの間に立設される中柱７と、ガイドレール５０Ｒ，５０Ｌと中柱７の間に、それぞれ、順次上から差し込まれる複数の防水板１Ａ，１Ｂ，１Ｃと、を有して構成される。
【００２８】
各防水板１Ａ，１Ｂ，１Ｃは互いに嵌合／分離可能であり、コンパクトに倉庫内などに保管することができ、また、使用時及び撤去時における運搬作業も容易にできる。なお、本実施例の防水板１Ａ，１Ｂ，１Ｃは互いに嵌合／分離可能であるが、これは運搬可能な単位重量とすることを目的としているためであり、一枚の板体にて構成されることとしてもよい。
【００２９】
防水板１Ａ，１Ｂ，１Ｃの横幅方向（図１紙面左右方向（矢印Ｘ方向））の両側端部は、ガイドレール５０Ｒ，５０Ｌに形成される差込溝や中柱７の差込溝に夫々呑み込まれ、防水板１Ａ，１Ｂ，１Ｃが上下移動する際にはこれら差込溝によって各防水板がガイドされる。
【００３０】
ガイドレール５０Ｒ，５０Ｌは、出入口２０の両側方に配置される壁６０Ｒ，６０Ｌの見込み面に付設されるほか、壁６０Ｒ，６０Ｌに埋め込まれるものとすることや、壁６０Ｒ，６０Ｌそのものに差込溝を形成して構成されるものであってもよい。ガイドレール５０Ｒ，５０Ｌは、その差込溝が垂直になるように施工され、施工後は壁６０Ｒ，６０Ｌと一体化された状態で放置することができる。或いは、壁６０Ｒ，６０Ｌに対し垂直に設置可能に着脱自在に設けられ、豪雨等の際に適時垂直に設置可能に構成されるものとしてもよい。
【００３１】
中柱７は、出入口２０の車の通行や人の通行の妨げとならないように、通常は設置されずに倉庫などに収容され、豪雨等の際に適時設置される。なお、この中柱７は、単装仕様（間口方向において１枚の防水板が使用される構成）の防水板の強度に関し、受け止める水圧の許容範囲を超えてしまうほど開口部の幅が広い場合に用いられるものであり、開口部の幅方向中央部に中柱が設置されるとともに、中柱の両側に防水板が設置されて連装仕様が構成されるものである。
【００３２】
また、図１及び図２（Ａ）は、出入口２０の両側方に配置される壁６０Ｒ，６０Ｌの外側面（水嵩が増していく側の面）に対しガイドレール５０Ｒ，５０Ｌが固定される「外側受け納まり」の構成としている。これに対し、図２（Ｂ）は出入口２０の両側方に配置される壁６０Ｒ，６０Ｌの内側面（水嵩が増していく側と反対側の面）に対しガイドレール５０Ｒ，５０Ｌが固定される「内側受け納まり」の構成としており、ガイドレール５０Ｒ，５０Ｌは、この図２（Ａ）の「外側受け納まり」の構成と、図２（Ｂ）の「内側受け納まり」の構成のいずれにおいても対応できるように構成される。
【００３３】
次に、ガイドレール５０Ｒ，５０Ｌの詳細な構成について説明する。
図３（Ａ）は、「外側受け納まり」にて壁６０Ｒの外側面６０ａにガイドレール５０Ｒを配置する例であり、図３（Ｂ）は、「内側受け納まり」にて壁６０Ｒの内側面６０ｂにガイドレール５０Ｒを配置する例である。
【００３４】
図３（Ａ），（Ｂ）に示されるガイドレール５０Ｒは同一の構成としており、縦方向（紙面と直交する方向）に延び、防水板１Ｃの側端部１ｓが呑み込まれる差込溝５５が構成されている。そして、差込溝５５において内側となる側に、防水板１Ｃの裏側面、即ち、内側面に当接させるための止水材４が配設され、止水材４にて防水板１Ｃとガイドレール５０Ｒの間の隙間が密閉され止水性が確保される。
【００３５】
図４（Ａ）は、ガイドレール５０Ｒの特徴的な構成について示す水平断面部分拡大図である。この図４（Ａ）は、図３（Ａ）の「外側受け納まり」の場合に対応するものであるが、上下に反転し、止水材を取付部５１ａから取付部５２ａに付け替えることで「内側受け納まり」の構成となり、図３（Ｂ）の「内側受け納まり」に対応するものである。
【００３６】
ガイドレール５０Ｒには、防水板１Ｃを間に挟んで内外方向（矢印Ｄ方向）にて互いに対向して略平行に配置される第一面部５１，第二面部５２と、第一面部５１，第二面部５２における横方向（矢印Ｘ方向）を連結する第三面部５３と、第一面部５１，第二面部５２の間において第三面部５３と反対側に形成される開放部５４と、が構成される。これら各部位によって、平面視略コ字状の差込溝５５が構成され、開放部５４を通じて防水板１Ｃの側端部１ｓが差込溝５５に呑み込まれる構成としている。
【００３７】
図４（Ａ）（Ｂ）に示すように、第一面部５１において開放部５４に近い側には、止水材４を取り付けるための止水材取付部５１ａが形成される。止水材取付部５１ａは、防水板１Ｃの裏面１ｕ側が開放される略Ｃ字状の溝状部５１ｂと、溝状部５１ｂの開放部においてその開放を狭くするように対向する一対の係止部５１ｃ，５１ｃとを有して構成されている。係止部５１ｃ，５１ｃの間には隙間５１ｄが形成される。
【００３８】
この止水材取付部５１ａに対し、止水材４が取り付けられる。止水材４（止水パッキンとも呼ぶことがある。）は、防水板の外側（出水側）から内側（反出水側）への水の浸入を防ぐために防水板とレールに対しそれぞれ密着させる部材であり、防水板１Ｃの表面に密着させるための密着部４ａと、止水材取付部５１ａの溝状部５１ｂ内に嵌め入れられる嵌合部４ｂと、止水材取付部５１ａの隙間５１ｄを通じて嵌合部４ｂと密着部４ａとを連結させるブリッジ部４ｃと、を有してなり、弾性体であることが望ましく、主に、ゴムからなる長尺部材にて構成される。なお、止水材４は一本の長尺部材で構成されるほか、所定の長さを有する複数のものを隙間なく連続するように配設することで、全体として一つの止水材が構成されるものとしてもよい。
【００３９】
止水材取付部５１ａは、ガイドレール５０Ｒの長手方向に渡り一連に構成され、当該長手方向の端部が開放されており、この開放部位にて止水材４の嵌合部４ｂを溝状部５１ｂの位置に合せつつ、ブリッジ部４ｃを隙間５１ｄの位置に合せて差し込み、止水材４全体をスライドさせることで、止水材４を止水材取付部５１ａに取り付けることができる。取り付けた状態では、止水材取付部５１ａの外側に密着部４ａが配置される。また、このような構成によれば、止水材４の交換時（メンテナンス）において、止水材４を容易に取り外すことが可能となる。
【００４０】
図４（Ａ）に示すように、以上の構成とする止水材取付部５１ａは、第二面部５２においても同様に取付部５２ａとして構成されている。これにより、図３（Ａ）の「外側受け納まり」、図３（Ｂ）の「内側受け納まり」のいずれにおいても、防水板１Ｃの裏面１ｕ（内側の面）に対して止水材４を密着させることができ、止水性を確保できる。
【００４１】
また、図４（Ａ）（Ｂ）に示すように、第一面部５１、及び、第二面部５２には、それぞれ、防水板１Ｃを内側、即ち、止水材４が配置される側に押し付ける押付材５６を取り付けるための押付材取付部５１ｇ，５２ｇが設けられる。図４（Ａ）の例では、第一面部５１側に止水材４が取り付けられるため、第二面部５２の押付材取付部５２ｇに押付材５６が設けられることとしている。
【００４２】
図４（Ｂ）に示すように、押付材取付部５１ｇは、第一面部５１の内面に二列の突条５１ｋ，５１ｈを突設してなる略コ字状をなす溝部にて構成される。突条５１ｋは、止水材取付部５１ａの溝状部５１ｂを構成する壁面の機能も兼ね備える。
【００４３】
そして、この押付材取付部５１ｇに、押付材５６が接着剤などにより固定されて設置される。押付材５６は、突条５１ｋ，５１ｈよりも突出する厚みを有して構成され、その突出部分にて防水板１Ｃを押圧するように構成される。押付材５６の構成については特に限定されるものではないが、ガイドレール５０Ｒの長手方向において複数個所に設けられる長さ３ｃｍ〜６ｃｍ等のピース状の部材にて構成することができる。これにより、防水板１Ｃをガイドレール５０Ｒに対し抜き差しする際において、押付材５６が防水板１Ｃに点で接触して滑り材として機能し、過剰な摩擦力を生じさせることなく、防水板１Ｃをスムーズに軽い力で移動させることが可能となる。
【００４４】
以上のように、第一面部５１、及び、第二面部５２に、それぞれ、押付材取付部５１ｇ，５２ｇが設けられる構成とすることで、図３（Ａ）の「外側受け納まり」、図３（Ｂ）の「内側受け納まり」のいずれにおいても、押付材５６により防水板１Ｃを止水材４に押し付けて密着させることができ、止水性を確保できる。なお、押付材取付部５１ｇ，５２ｇのそれぞれにおいて、横方向（矢印Ｘ方向）における止水材取付部５１ａ，５２ａと、押付材取付部５１ｇ，５２ｇの位置関係は逆であってもよい。
【００４５】
以上のようにして、図３（Ａ）の「外側受け納まり」、図３（Ｂ）の「内側受け納まり」のいずれについても、同一形状のガイドレール５０Ｒの構成により対応することができる。なお、ガイドレール５０Ｒは、アルミ押出成形品などにて構成することができ、差込溝５５以外の本体部分５７の上端部の開放は図示せぬキャップなどで閉じられる。
【００４６】
また、止水材の形状や止水材取付部の形状については、図５（Ａ）乃至（Ｅ）に示される構成とすることもできる。
図５（Ａ）の構成では、止水材４Ａを断面Ｃ字状の長尺部材とし、断面Ｔ字状（蟻突条）の止水材取付部５１Ａに外側から覆い被せる構成とするものである。
図５（Ｂ）の構成では、断面台形筒状の嵌合部を有する止水材４Ｂを、断面台形状の溝状部（蟻溝）にて構成する止水材取付部５１Ｂに嵌め込んで取り付ける構成とするものである。筒状とすることにより、嵌合部が弾性変形しやすい構成となり、止水材取付部５１Ｂの溝の隙間を通じ横方向から直接押し込んで溝状部に嵌め込むこともできる。
図５（Ｃ）の構成では、断面円筒形状の嵌合部を有する止水材４Ｃを、断面円形状の溝状部にて構成する止水材取付部５１Ｃに嵌め込んで取り付ける構成とするものである。筒状とすることにより、嵌合部が弾性変形しやすい構成となり、止水材取付部５１Ｃの溝の隙間を通じ横方向から直接押し込んで溝状部に嵌め込むこともできる。
図５（Ｄ）の構成では、断面円形状の嵌合部を有する止水材４Ｄを、断面円形状の溝状部にて構成する止水材取付部５１Ｄに嵌め込んで取り付ける構成とするものである。
図５（Ｅ）の構成では、板状の止水材４Ｅを、溝のない止水材取付部５１Ｅの表面に接着剤などで付設する構成とするものである。
図５（Ｆ）の構成では、幅の広い密着部を有する止水材４Ｆを、溝状部にて構成する止水材取付部５１Ｆに嵌め込んで取り付ける構成とするものである。
【００４７】
さらに、図５（Ｇ）に示す止水材４Ｇに示すように、止水材取付部５１ａの溝状部５１ｂ内に嵌め入れられる嵌合部４ｋについて、断面視鋭角の尖端を有する構成とし、溝状部５１ｂに対し横方向から押し込む際に押し込み易い構成としてもよい。また、密着部４ｈについて複数の突条４ｍ（例えば波形形状など）を設け、防水板に対して線接触させる構成としてもよい。
【００４８】
また、図５（Ｇ）に示すように、止水材取付部５１ａの近傍の支持面５１ｍには、防水板１Ｃの側端部からの荷重が直接的に作用することが想定されるが、特に幅寸法の大きな防水板１Ｃの場合には止水状態時において、水圧により幅方向中心部が内側に膨らむように若干の撓みが生じ、止水材取付部５１ａの付近において角度Ｒが付いた状態となることが想定される。この点、支持面５１ｍについてもこの角度Ｒの傾斜をつけることによれば、防水板１Ｃの撓みに沿うようにして、防水板１Ｃをしっかりと支えつつ、止水材４Ｇとの密着性を高めることができる。なお、この角度Ｒを支持面５１ｍではなく、止水材４Ｇの密着部４ｈにつけることとしてもよい。なお、図５（Ｇ）は、傾斜が付けられることを分かりやすく表現するものであり、角度Ｒの実際の設計は、例えば０．５°〜２°に設定することが想定される。
【００４９】
また、以上に説明した止水材取付部の構成は、図１及び図２（Ａ）（Ｂ）に示される中柱７についても適用できる。即ち、図６（Ａ）に示すように、中柱７には、平面視において左右（矢印Ｘ方向）に２箇所に差込溝７７，７７が構成されており、各差込溝７７，７７に防水板１Ｃの側端部が挿入される。
【００５０】
各差込溝７７の部位においては、防水板１Ｃを間に挟んで内外方向（矢印Ｄ方向）にて互いに対向して略平行に配置される第一面部７１，第二面部７２と、第一面部７１，第二面部７２における横方向（矢印Ｘ方向）を連結する第三面部７３と、第一面部７１，第二面部７２の間において第三面部７３と反対側に形成される開放部７４と、が構成される。これら各部位によって、平面視略コ字状の差込溝７７が構成され、開放部７４を通じて防水板１Ｃの側端部が差込溝７７に呑み込まれる構成としている。
【００５１】
そして、第一面部７１，及び、第二面部７２には、それぞれ、止水材４を取り付けるための止水材取付部７１ａ，７２ａが設けられており、これにより、「外側受け納まり」、「内側受け納まり」に対し、適宜止水材４の取り付け位置を選択することで、対応することができる。
【００５２】
なお、図６（Ａ）では、図４（Ｂ）に示される止水材４と同様の構成のものが使用される例が示されており、図６（Ｂ）では、断面円弧状の密着部４ｍを有する止水材４Ｍを用いる例が示されている。
【００５３】
以上のようにして本発明を実施することができる。
即ち、図１乃至図４に示すように、
防水ラインＬを形成する防水板１Ｃの側端部１ｓを支えるための防水装置２の柱体（ガイドレール５０Ｒ、中柱７）であって、
柱体には、防水板１Ｃの側端部１ｓが差し込まれる差込溝５５が設けられ、
差込溝５５には、防水ラインＬを挟んで両側に、防水板１Ｃと密着させるための止水材４を設置可能な止水材取付部５１ａが設けられる、防水装置２の柱体とするものである。
【００５４】
これにより、防水板側に止水材を設けずに、かつ、外側受け納まりと内側受け納まりの両方の施工現場に対応可能な構成が実現できる。
【００５５】
また、図４及び図５に示すように、
止水材４は止水材取付部５１ａに対し嵌合にて取り付けられる、こととする。
【００５６】
これにより、止水材４の止水材取付部５１ａからの脱落防止が図られる。
【００５７】
また、図４（Ａ）（Ｂ）に示すように、
止水材取付部５１ａは、柱体の長手方向に沿って設けられるとともに、柱体の長手方向の少なくとも一側端部（例えば、柱体を設置した状態における上端部）の位置において開放されており、
開放された部位から長尺の止水材４を差し込んで移動させることで、止水材４が止水材取付部５１ａに取り付けられる構成とする。
【００５８】
これにより、長尺の止水材４の容易な取り付けや、交換が可能となり、メンテナンス性に優れた構成が実現できる。
【００５９】
差込溝５５には、防水ラインＬを挟んで両側に、防水板１Ｃの片面に当接して防水板１Ｃを押圧するための押付材５６を設置可能な押付材取付部５１ｇが設けられる、こととするものである。
【００６０】
これにより、押付材５６を配設する構成において、外側受け納まりと内側受け納まりの両方の施工現場に対応可能な構成が実現できる。
【００６１】
以上の構成に加え、図７（Ａ）〜（Ｃ）に示す構成を実施することができる。
図７（Ａ）〜（Ｃ）に示すように、ガイドレール５０Ｒの上端部には上部キャップ８０が取り付けられ、ガイドレール５０Ｒの差込溝５５以外の部位が上部キャップ８０によって覆われる。上部キャップ８０には、平面視略コ字状の開口部８５が形成され、開口部８５と差込溝５５により一連の縦方向の溝が形成され、開口部８５を通じて防水板の抜き差しが行われる。
【００６２】
上部キャップ８０には、ガイドレール５０Ｒの第一面部５１、第二面部５２、第三面部５３にそれぞれ対応する位置に第一縁部８１、第二縁部８２、第三縁部８３が形成され、第一縁部８１、第二縁部８２、第三縁部８３に囲まれるようにして開口部８５が構成される。また、上部キャップ８０には上下方向に貫通する貫通穴８６が設けられ、ビス９０を貫通穴８６を通じてガイドレール５０Ｒのビス穴５９に差し込むことで、上部キャップ８０がガイドレール５０Ｒに固定される。
【００６３】
図７（Ｃ）に示すように、第二縁部８２には、外周面を構成する縦壁部８２ａと、縦壁部８２ａの上端部の位置から差込溝５５の中心側５５ｃに斜め下方に傾斜する傾斜面部８２ｂと、傾斜面部８２ｂと内側脚部８２ａの間に形成される空間部８２ｃと、傾斜面部８２ｂとガイドレール５０Ｒの第二面部５２の間に形成される隙間部８２ｄと、が形成される。なお、傾斜面部８２ｂとすることで、上側から挿入される防水板を差込溝５５にガイドすることが可能となるが、傾斜面部８２ｂとせずに略垂直の縦面部が構成されるものとしてもよい。
【００６４】
隙間部８２ｄや空間部８２ｃは、少なくともガイドレール５０Ｒにおける止水材取付部５２ａに対応する位置に形成され、止水材４の上端部４ｍを空間部８２ｃ内に納めることを可能とするものである。これにより、止水材４の上端部４ｍが空間部８２ｃ内に差し込まれた状態で保護され、防水板を差し込む際に、防水板が止水材４の上端部４ｍに突き当たって止水材４がめくれるなどして離脱することを防ぐことができる。
【００６５】
また、図７（Ｃ）に示すように、第一縁部８１についても同様に空間部８１ｃが形成される構成としており、ガイドレール５０Ｒの止水材取付部５１ａ側に止水材４が取り付けられる場合においても、止水材４の上端部４ｍを空間部８１ｃ内に差し込んだ状態で保護できる。これにより、図３（Ａ）の「外側受け納まり」、図３（Ｂ）の「内側受け納まり」のいずれにおいても、止水材４の上端部４ｍを保護できる。
【００６６】
図８（Ａ）（Ｂ）は、止水材と上部キャップの取り付け手順の例について説明するものであり、まず、図４（Ｂ）に示される止水材４を使用する場合において、図８（Ａ）に示すように止水材４の上端から所定の長さの密着部４ａ（上端部４ｍ）を残すようにして嵌合部４ｂとブリッジ部４ｃを除去する。残される密着部４ａの所定の長さは、密着部４ａが空間部８２ｃに納まる程度の長さとする。また、施工現場で除去することとする他、予め上端において嵌合部４ｂとブリッジ部４ｃが存在しない止水材４が施工現場に搬入されるものとしてもよい。また、空間部８２ｃに納められるのであれば、嵌合部４ｂとブリッジ部４ｃを除去せずに、止水材４全体が空間部８２ｃに挿入されるものであってもよい。
【００６７】
次いで、図８（Ｂ）に示すように、止水材４の下端部をガイドレール５０Ｒの止水材取付部５２ａに差し込んで徐々に移動させ、ガイドレール５０Ｒ（止水材取付部５２ａ）の上端から除去されずに残された密着部４ａ（上端部４ｍ）を突出した状態とし、密着部４ａを空間部８２ｃに差し込むように（呑み込むようにして）して上から上部キャップ８０を被せる。
【００６８】
最後に、上部キャップ８０をガイドレール５０Ｒに固定することで、図７（Ｃ）に示すように、止水材４の上端部４ｍ（密着部４ａ）が空間部８２ｃ内に達した状態として、止水材４の取り付けを完了することができる。即ち、上部キャップ８０内に止水材４の上端部４ｍ（密着部４ａ）が納まった状態で取り付けが完了される。
【００６９】
図９（Ａ）（Ｂ）は、中柱７における実施形態であり、このように、中柱７に取り付ける上部キャップ８７についても、止水材４の上端部４ｍを上部キャップ８７の空間部８７ｃに納める構成を採用することができる。
【００７０】
以上に説明したように、図７（Ａ）〜（Ｃ）乃至図９に示す構成では、
柱体（ガイドレール５０Ｒ、中柱７）の上端に、上部キャップ８０が取り付けられ、
上部キャップ８０内に設けた空間部８２ｃに止水材４の上端部４ｍが納められる、構成とするものである。
【００７１】
この構成により、上部キャップ８０により止水材４の上端部４ｍが保護されることになり、防水板を差込溝５５に挿入する際に、止水材４の上端部４ｍに防水板が突き当たって止水材４が離脱することを防ぐことができる。また、止水材４の上端部４ｍを掴むことで、止水材４を止水材取付部５１ａから容易に抜き出すことが可能となり、止水材４の交換を容易に行うことができる。
【００７２】
さらに、図７（Ａ）〜（Ｃ）乃至図９に示す構成では、止水材４の密着部４ａの表面が、上部キャップ８０の傾斜面部８２ｂの端部８２ｔよりも差込溝５５の中心側５５ｃに配置される、即ち、上部キャップ８０の傾斜面部８２ｂが止水材４の密着部４ａよりも突出していないため、防水板が上部キャップ８０に引っかかることなく、防水板を上方にスムーズに抜き出すことが可能となる。
【産業上の利用可能性】
【００７３】
本発明は、建物の出入口や、地下施設への地上出入口などに設置され、豪雨時に雨水などが出入口内に浸入するのを堰き止めるための防水装置について好適に適用できる。
【符号の説明】
【００７４】
１Ｃ    防水板
１ｓ    側端部
２    防水装置
４    止水材
４ａ    密着部
４ｂ    嵌合部
７    中柱
５０Ｒ    ガイドレール
５１    第一面部
５１ａ    止水材取付部
５１ｇ    押付材取付部
５２    第二面部
５２ａ    取付部
５２ｇ    押付材取付部
５５    差込溝
５６    押付材
【図１】
0006653954.tif 000002
【図２】
0006653954.tif 000003
【図３】
0006653954.tif 000004
【図４】
0006653954.tif 000005
【図５】
0006653954.tif 000006
【図６】
0006653954.tif 000007
【図７】
0006653954.tif 000008
【図８】
0006653954.tif 000009
【図９】
0006653954.tif 000010